(57)【要約】【課題】  切り裂き方向に対して偏った方向に力が及んだ場合でも、開封途中における開封帯の切断を防止でき、一度に且つきれいに開封できる包装体を提供する。【解決手段】本発明の包装体１は、基体２１に形成した一方側切り裂き列３１と、他方側切り裂き列３３とを並列に備え、開封帯２３を切り裂き列３１、３３に沿って基体２１の両側から切り裂き可能にしてあり、一方側切り裂き列３１と他方側切り裂き列３３とは開封帯２３の中間部２９に設けてあり、開封帯２３の縁から中間部２９に至る両端部には、一方側切り裂き列３１と他方側切り裂き列３３とにそれぞれ連続すると共に縁から中間部２９に向けて一方向に切り裂き可能な一対の端部切り裂き列４１、４３が設けてある。【選択図】図３
2005170448.tif 000002
【特許請求の範囲】
【請求項１】
基体に形成した一方側切り裂き列と、他方側切り裂き列とを並列に備え、開封帯を切り裂き列に沿って基体の両側から切り裂き可能にしてあり、複数の缶入り又はビン入り飲料を収納する板紙製包装体であって、一方側切り裂き列と他方側切り裂き列とは開封帯の中間部に設けてあり、開封帯の縁から中間部に至る両端部には、一方側切り裂き列と他方側切り裂き列とにそれぞれ連続すると共に縁から中間部に向けて一方向に切り裂き可能な一対の端部切り裂き列が設けてあることを特徴とする包装体。
【請求項２】
一対の端部切り裂き列は、中間部に設けた一方側切り裂き列と他方側切り裂き列とに向けて、対向する切り裂き列間の間隔を広げていることを特徴とする請求項１に記載の包装体。
【請求項３】
一方及び他方の切り裂き列は多数の略Ｙ字状の切れ目を並べて構成してあり、略Ｙ字状の切れ目は二股状の開き部と直線状の脚部とから成り、Ｙ字の開き部に隣のＹ字の脚部の一端が位置することを特徴とする請求項１又は２に記載の包装体。
【請求項４】
一方及び他方の切り裂き列は、Ｙ字の開き部の方向が相互に逆向きになっていることを特徴とする請求項３に記載の包装体。
【請求項５】
略Ｙ字状の切れ目は、二股状の開き部を構成する一方の直線部分が脚部から離れて形成していることを特徴とする請求項３又は４に記載の包装体。
【請求項６】
脚部から離れて形成した一方の直線部分は、一方側切り裂き列と他方側切り裂き列との間の内側に設けていることを特徴とする請求項５に記載の包装体。
【請求項７】
一対の端部切り裂き列は、それぞれ多数のへの字状の切れ目を並べて構成してあり、への字の折れ部に隣のへの字の端が位置していることを特徴とする請求項１〜６のいずれか一項に記載の包装体。
【請求項８】
一対の端部切り裂き列は、各への字の開きが互いに対向していることを特徴とする請求項７に記載の包装体。
【請求項９】
開封帯の両縁はそれぞれ円弧状を成していることを特徴とする請求項１〜８のいずれか一項に記載の包装体。
【発明の詳細な説明】
【技術分野】
【０００１】
本発明は、複数の缶入り又はビン入り飲料を収納する板紙製包装体（マルチパック）であって、基体の一部に設けたある開封帯を切り裂いて開封する包装体に関する。
【背景技術】
【０００２】
基体の一部を切り裂いて開封する開封帯において、基体の両側から切り裂き可能とした技術が公知である。
この種の技術として、特許文献１には、直線状の切れ目と円弧状の切れ目とを切り裂き列に交互に配置した構成が開示されている。
また、特許文献２には、特許文献１と同様な技術の他に鉤状、Ｚ字形状又はＭ字形状の切れ目を直線状に並べたり、各切れ目を交互にかみ合わせるように列状に配置することが開示されている。
【０００３】
【特許文献１】実用新案登録第３０７９６４９号公報
【特許文献２】特開２００２−１０４３９８号公報
【発明の開示】
【発明が解決しようとする課題】
【０００４】
しかし、いずれの技術においても、開封帯の端から開封帯を引き上げて基体から開封帯を切り裂き可能であるが、開封帯を斜め上方に引き上げた場合や開封帯の左右方向に偏った力で引き上げた場合に、切り裂き列の切れ目からずれた方向に開封帯が切断され、開封帯が途中でちぎれて、一度に切り裂いて開封できないという問題がある。
【０００５】
そこで、本発明は、切り裂き方向に対して偏った方向に力が及んだ場合でも、開封途中における開封帯の切断を防止でき、一度に且つきれいに開封できる包装体及び外装箱の提供を目的とする。
【課題を解決するための手段】
【０００６】
請求項１に記載の発明は、基体に形成した一方側切り裂き列と、他方側切り裂き列とを並列に備え、開封帯を切り裂き列に沿って基体の両側から切り裂き可能にしてあり、複数の缶入り又はビン入り飲料を収納する板紙製包装体であって、一方側切り裂き列と他方側切り裂き列とは開封帯の中間部に設けてあり、開封帯の縁から中間部に至る両端部には、一方側切り裂き列と他方側切り裂き列とにそれぞれ連続すると共に縁から中間部に向けて一方向に切り裂き可能な一対の端部切り裂き列が設けてあることを特徴とする。
【０００７】
請求項２に記載の発明は、請求項１に記載の発明において、一対の端部切り裂き列は、中間部に設けた一方側切り裂き列と他方側切り裂き列とに向けて、対向する切り裂き列間の間隔を広げていることを特徴とする。
【０００８】
請求項３に記載の発明は、請求項１又は２に記載の発明において、一方及び他方の切り裂き列は多数の略Ｙ字状の切れ目を並べて構成してあり、略Ｙ字状の切れ目は二股状の開き部と直線状の脚部とから成り、Ｙ字の開き部に隣のＹ字の脚部の一端が位置することを特徴とする。
【０００９】
請求項４に記載の発明は、請求項３に記載の発明において、一方及び他方の切り裂き列は、Ｙ字の開き部の方向が相互に逆向きになっていることを特徴とする。
【００１０】
請求項５に記載の発明は、請求項３又は４に記載の発明において、略Ｙ字状の切れ目は、二股状の開き部を構成する一方の直線部分が脚部から離れて形成していることを特徴とする。
【００１１】
請求項６に記載の発明は、請求項５に記載の発明において、脚部から離れて形成した一方の直線部分は、一方側切り裂き列と他方側切り裂き列との間の内側に設けていることを特徴とする。
【００１２】
請求項７に記載の発明は、請求項１〜６のいずれか一項に記載の発明において、一対の端部切り裂き列は、それぞれ多数のへの字状の切れ目を並べて構成してあり、への字の折れ部に隣のへの字の端が位置していることを特徴とする。
【００１３】
請求項８に記載の発明は、請求項７に記載の発明において、一対の端部切り裂き列は、各への字の開きが互いに対向していることを特徴とする。
【００１４】
請求項９に記載の発明は、請求項１〜８のいずれか一項に記載の発明において、開封帯の両縁はそれぞれ円弧状を成していることを特徴とする。
【発明の効果】
【００１５】
請求項１に記載の発明によれば、両方向から切り裂き可能な部分は開封帯の中間に設けてあり、開封帯の端部はそれぞれ中間部に向けて一方向に切り裂き可能となっているので、一方向切り裂き列は開封帯の切断が生じ難く安定して切り裂き可能であるから、開封帯の引き上げがし易く且つ引き上げ方向に力が入り易いので、開封帯の切り裂きが容易にできる。開封帯の左右に偏った力が作用し難く、切り裂き列に沿ってきれいに切り裂くことができ、開封帯が切り裂き途中で切断することを防止できる。
【００１６】
請求項２に記載の発明によれば、請求項１に記載の発明と同様な効果を得ることができると共に、開封帯の切り裂き開始時には小さな力で切り裂きでき、次第に大きな力で開封するので、開封帯を切り裂くときの力が入り易く、容易に開封帯を切り裂きできる。
【００１７】
請求項３に記載の発明によれば、例えば基体から開封帯を斜めに持ち上げて引裂いている場合等、開封途中で開封帯の左右方向に偏った力が作用した場合には、Ｙ字の脚部（第１直線部分）の下端は隣のＹ字の二股状の開き部（第２直線部分及び第３直線部分）にあるから、この開き部の切れ目に向かって開封帯の一部が破断し、次のＹ字の開き部に到達する。このように、順次Ｙ字の切れ目に沿って切り裂きできるので、開封帯の左右に偏った力が作用しても切り裂き列に沿ってきれいに切り裂くことができ、開封帯が切り裂き途中で切断することを防止できる。
また、切れ目は略Ｙ字状（脚部を構成する第１直線部分、二股状の開き部を構成する第２直線部分及び第３直線部分）であるから、直線のみで構成でき構成が簡易であると共に、曲線がないので切れ目を形成するための刃型を成形しやすく製造が容易である。
【００１８】
請求項４に記載の発明によれば、請求項３に記載の発明と同様な効果を得ることができると共に、一方側及び他方側の切り裂き列におけるＹ字状切れ目を逆向きにすることにより、請求項３に記載の効果を一方側及び他方側切り裂き列に均等に作用させることができる。
【００１９】
請求項５に記載の発明によれば、請求項３又は４に記載の発明と同様な効果を得ることができると共に、基体から開封帯を分離する前の状態において、一方側及び他方側切り裂き列における強度を高めることができる。特に、Ｙ字の角（３つの線の交点部分）がへたり込んで凹んだり飛び出したりすることを防止でき、一方側及び他方側切り裂き列の平面を平坦に保持できるので外観が良い。
【００２０】
請求項６に記載の発明によれば、請求項５項に記載の発明と同様な効果を得ることができると共に、一般に偏った力（斜め方向に開封帯を引き上げる場合）は、開封帯の内側に向かうことが多く、かかる場合に脚部から離れた切れ目（第３直線部分）に向かって開封帯の縁が破断して、次のＹ字の切れ目に到達して順次切り裂いていくので、切り裂き方向の案内が容易にできスムーズな切り裂きが可能である。
【００２１】
請求項７に記載の発明によれば、請求項１〜６のいずれか一項に記載の発明と同様な効果を得ることができると共に、切り裂き列を構成する切れ目の構成が簡易で且つ切り裂き列の強度低下を防止できるので、特に開封帯の両端部において開封前に切り裂き列に損傷が生じ難い。
【００２２】
請求項８に記載の発明によれば、請求項７に記載の発明と同様な効果を得ることができると共に、開封帯の端部における一方向の切り裂きを確実に案内でき、端部における開封帯の切断が生じ難い。
【００２３】
請求項９に記載の発明によれば、請求項１〜８に記載の発明と同様な効果を得ることができると共に、開封帯の縁に指を掛けて開封し易い。
【発明を実施するための最良の形態】
【００２４】
以下に、添付図面の図１〜図４を参照して本発明の実施の形態を詳細に説明する。図１は本発明の基本的構成を示す斜視図であり、図２は本発明の包装体を用いた外装箱の展開図であり、図３は図２に示す展開図を組み立てた状態を示す外装箱の斜視図であり、図４は本実施の形態の作用を説明する斜視図である。
【００２５】
本実施の形態にかかる外装箱１は、飲料缶６個を収納する紙製の包装体であり、図２に示す展開紙を上側主折り線３、５と下側主折り線７、９とを山折にし、係止片１１を対向する係止孔１３に係止して略直方体形状に形成するものである。この展開紙を組み立てた状態では、図３に示すように、上側主折り線３、５間に上面部１５を形成し、上側主折り線３と下側主折り線９との間及び上側主折り線５と下側主折り線７との間に左右の側面部１７、１７を形成しており、下側主折り線７、９間に底面部１９を形成している。
【００２６】
上面部１５の基体２１には、一方及び他方のいずれからも破断可能な開封帯２３が設けられている。この開封帯２３は両側端部２５、２７と、各端部２５、２７間に位置する中間部２９とから構成されており、各いずれの端部２５、２７側から切り裂き可能になっている。
中間部２９には一方側切り裂き列３１と、他方側切り裂き列３３とが並列に設けられており、中間部２９ではこれらの切り裂き列３１、３３に沿って基体２１から開封帯２３を切り裂き可能であり、しかも、一方側切り裂き列３１と他方側切り裂き列３３とは、列のいずれの方向からも切り裂き可能になっている。
【００２７】
一方側切り裂き列３１と他方側切り裂き列３３は、それぞれ略Ｙ字形状の切れ目３４を列状に且つ隣合わせに配列している。一つの略Ｙ字状の切れ目３４は、図１及び図４に拡大して示すように、Ｙ字の脚部を構成する第１直線部分３５と、二股状の開き部分の一方を構成する第２直線部分（一方の直線部分）３７と他方を構成する第３直線部分（他方の直線部分）３９とからなっている。
【００２８】
一つのＹ字状切れ目３４において、第１直線部分３５と第２直線部分３７とは連続する切れ目であり、第３直線部分３９は第１直線部分３５と分離されている。
また、一方側切り裂き列３１と他方側切り裂き列３３とは互いに平行であり且つ各列を構成する略Ｙ字状切れ目３４の向きが互いに異なる方向になっている。更に、一方側切り裂き列３１と他方側切り裂き列３３とでは、一つの略Ｙ字状切れ目３４を構成している第３直線部分３９を互いに対向する位置（内側）に配置している。
【００２９】
図２及び図３に示すように、開封帯２３の一方側端部２５と他方側端部２７とには、それぞれ一対の端部切り裂き列４１、４３列が設けてある。これらの端部切り裂き列４１、４３は基体２１の端から一方側切り裂き列３１と他方側切り裂き列３３とに連続してあると共に、基体２１の端から中間部に向かって互いに間隔を広げている。
【００３０】
端部切り裂き列４１、４３を構成するひとつの切れ目４５は略への字状をなしており、への字の折れ部４５ａに隣のへの字の一端４５ｂが位置して、隣り合うへの字の直線部分が一直線状に並んでいる。また、への字の他端４５ａは、端部切り裂き列４１、４３において互いに向き合う方向に位置している。
【００３１】
また、開封帯の両縁はそれぞれ円弧状の凹み４７になっており、指を掛けやすくなっている。
尚、開封帯２３内には対向する位置に取手部５１、５１が設けられており、各取手部５１、５１に指を挿入して、外装箱１を持ち運びできるようになっている。各取手部５１は、略円形状の押し込み部５３を外装箱１の内側に押し込んで取手孔を形成するものである。
【００３２】
次に、本実施の形態にかかる外装箱１の組み立て及び作用について説明する。図２に示す展開紙の組み立ては、上側主折り線３、５及び下側主折り線７、９を山折りにし、係止片１１を係止孔１３に係止して、図４に示すような略直方体に形成し、飲料缶を６本収納した状態でフラップ５０を内側に折り曲げる。
【００３３】
飲料缶を収納してある外装箱１を開封する場合には、開封帯２３の左右のいずれか一方側の端部２５（又は２７）の凹み４７に指を掛けて摘み、開封帯２３を引き上げる。これにより、開封帯の端部２５（又は２７）は開封帯２３の端から中間部２９に向けて切り裂き、更に中間部２９から他方の端部２７（又は２５）を切り裂いて、基体２１から開封帯を取り除く。
【００３４】
開封帯２３は、中間部２９が両側から切り裂き可能になっているから一方側の端部２５又は他方側の端部２７のいずれからも切り裂きできる。
図４に示すように、中間部２９において、開封帯２９の左右方向に偏った力Ｆが作用した場合（開封帯２９を斜めに持ち上げて引裂いている場合等）には、一つのＹ字状切れ目３４の第１直線部分３５の下端は、隣のＹ字状切れ目３４の二股状の開き部間にあるから、この開き部の第３直線部分３９に向かって開封帯が破断し、次のＹ字３４の第３直線部分３９に到達する。このように、順次Ｙ字の切れ目３４に沿って切り裂きできるので、開封帯３４の左右に偏った力Ｆが作用しても切り裂き列３１、３３に沿ってきれいに切り裂くことができる。したがって、開封帯２３が切り裂き途中で切断したり破断することを防止できる。
【００３５】
また、一つの切れ目３４は略Ｙ字状であり、第１直線部分３５、第２直線部分３７及び第３直線部分３９の直線のみで構成でき構成が簡易であると共に、曲線部分がないので切れ目を形成するための刃型を成形しやすく製造が容易である。
【００３６】
以下に本発明の他の実施の形態について説明するが、以下に説明する実施の形態において、上述した第１実施の形態と同一の作用効果を奏する部分には同一の符号を付することによりその部分の詳細な説明を省略し、第１実施の形態と異なる点を主に説明する。
【００３７】
図５に第２実施の形態を示す。この第２実施の形態では、中間部２９において一方側切り裂き列３１と他方側切り裂き列３３の各Ｙ字状切れ目３４は、Ｙ字状を形成する第１直線部分３５と二股状の開き部分の一方を構成する第２直線部分３７と他方を構成する第３直線部分３９とが連続した切れ目となっている。この第２実施の形態においても上述した第１実施の形態と同様な作用効果を奏することができる。
【００３８】
中間部２９において一方側切り裂き列３１と他方側切り裂き列３３において、各Ｙ字状切れ目３４の向きを同じにしたものである。この第３実施の形態においても上述した第１実施の形態と同様な作用効果を奏することができる。
【００３９】
本発明は、上述した実施の形態に限定されず、その要旨を逸脱しない範囲内において、種々の変形が可能である。
【００４０】
例えば、外装箱１は、６本の飲料缶を収納するものに限らず、２０本以上を収納するような直方体形状の段ボール箱であっても良い。
【図面の簡単な説明】
【００４１】
【図１】本発明の基本的構成を示す斜視図である。
【図２】本発明の包装体を用いた外装箱の展開図である。
【図３】図２に示す展開図を組み立てた状態を示す外装箱の斜視図である。
【図４】本実施の形態の作用を説明する斜視図である。
【図５】第２実施の形態にかかる一方側及び他方側切り裂き列を示す平面図である。
【図６】第３実施の形態にかかる一方側及び他方側切り裂き列を示す平面図である。
【符号の説明】
【００４２】
１      外装箱
２１    基体
２３    開封帯
２５    端部
２７    端部
２９    中間部
３１    一方側切り裂き列
３３    他方側切り裂き列
３４    Ｙ字状切れ目
３５    第１直線部分（脚部）
３７    第２直線部分（二股を構成する直線）
３９    第３直線部分（二股を構成する直線）
４１    端部切り裂き列
４３    端部切り裂き列
４５    への字状切れ目
４７    円弧状の縁
【図１】
2005170448.tif 000003
【図２】
2005170448.tif 000004
【図３】
2005170448.tif 000005
【図４】
2005170448.tif 000006
【図５】
2005170448.tif 000007
【図６】
2005170448.tif 000008